(57)【特許請求の範囲】
【請求項１】
複数の情報処理装置を接続可能な第１接続部と、
前記複数の情報処理装置から入力された情報を表示する複数のディスプレイが接続可能な第２接続部と、
前記第２接続部に接続された前記複数のディスプレイのそれぞれから、ディスプレイの識別情報を読み取る読取部と、
前記第１接続部に接続可能な前記複数の情報処理装置のそれぞれに対応して設けられ、前記読取部により読み込まれた前記複数のディスプレイの識別情報のうち１つの識別情報を記憶すると共に、対応する前記情報処理装置から当該記憶された識別情報の読み出しが行われる複数の記憶部と、
前記複数のディスプレイと前記読取部との間に設けられた第１スイッチと、
前記複数の記憶部と前記読取部との間に設けられた第２スイッチと、
前記複数のディスプレイの各々に対する、ディスプレイの識別情報の読み込み要求があるか否かを判定し、前記読み込み要求があると判定した場合に、前記読取部が前記読み込み要求があると判定されたディスプレイと接続するように前記第１スイッチを制御し、前記複数の記憶部の各々に対する、前記読取部に読み取らせたディスプレイの識別情報の保存要求があるか否かを判定し、前記保存要求があると判定した場合に、前記読取部が前記保存要求があると判定された記憶部と接続するように前記第２スイッチを制御する制御部と、を備え、
前記複数の記憶部は、互いに異なる識別情報を記憶可能であることを特徴とする切替装置。
【請求項２】
前記読取部に対し、前記複数のディスプレイのうち識別情報を取得すべきディスプレイを指示すると共に、前記複数の記憶部のそれぞれに対し、前記読取部が取得した前記識別情報を記憶するか否かを指示する制御部を備えることを特徴とする請求項１に記載の切替装置。
【請求項３】
前記第１接続部に接続された前記複数の情報処理装置のそれぞれが、前記第２接続部に接続された前記複数のディスプレイのうちいずれか１つと接続されるように切り替えを行う切替部を備え、
前記切替部は、前記複数の情報処理装置のうち第１識別情報を読み込んだ情報処理装置が、前記複数のディスプレイのうち前記第１識別情報を有するディスプレイと接続されるように切り替えを行うことを特徴とする請求項１または２に記載の切替装置。
【請求項４】
前記制御部から、前記複数の記憶部のうち既にディスプレイの識別情報が記憶されている記憶部に対し、新たに別の識別情報を記憶する指示がされた場合に、ユーザに対し警告を行う警告部を備えることを特徴とする請求項３に記載の切替装置。
【請求項５】
前記制御部は、前記複数の記憶部のうち既にディスプレイの識別情報が記憶されている記憶部に対し、新たに別の識別情報を記憶する指示がされた場合に、当該記憶部に対し前記別の識別情報を上書きして記憶させることを特徴とする請求項１に記載の切替装置。
【請求項６】
前記制御部は、前記複数の記憶部のうち既にディスプレイの識別情報が記憶されている記憶部に対し、新たに別の識別情報を記憶する指示がされた場合に、当該記憶部に対し前記別の識別情報を記憶させないことを特徴とする請求項１に記載の切替装置。
【請求項７】
前記制御部は、前記複数の記憶部のうち既にディスプレイの識別情報が記憶されている記憶部に対し、新たに別の識別情報を記憶する指示がされた場合に、当該記憶部を含む全ての記憶部に対する識別情報の記憶処理を中止することを特徴とする請求項１に記載の切替装置。
【発明の詳細な説明】
【技術分野】
【０００１】
本発明は、複数の表示装置を切り替えて使用するための切替装置に関する。
【背景技術】
【０００２】
複数の情報処理装置（例えば、ＰＣ：Personal Computer）と、これに対応する表示装置及び入力装置を含む複数組の操作ユニット（例えば、マウス・キーボード・ディスプレイ）とを、切替装置を介して接続した情報システムが知られている。ユーザは１組の操作ユニットを操作し、切替装置により複数台のＰＣを切り替えて使用することができる。ユーザが複数いる場合は、ユーザ１人あたり１つの操作ユニットを操作し、複数台のＰＣのうち使用可能な（他人に使用されていない）ＰＣを、切替装置により互いに切り替えて使用することができる。操作ユニットの入力装置（マウス・キーボード）から入力された情報は、対応するＰＣに入力され処理されると共に、ＰＣにより処理された情報は、対応する操作ユニットの表示装置（ディスプレイ）に表示される。
【０００３】
操作ユニットに含まれるディスプレイは、それぞれ識別情報（例えば、ＥＤＩＤ（Extended Display Identification Data））を有する。ＥＤＩＤは、例えばディスプレイの機種名や設定値等の情報を含む。ＥＤＩＤは切替装置を介してＰＣに読み込まれ、ＰＣ側が当該ＥＤＩＤに適した映像データを出力することにより、ディスプレイに適切な表示を行わせることができる。従来のシステムでは、複数の操作ユニットは全て同一のディスプレイを用いることが一般的であった。従って、操作ユニットとＰＣの間にある切替装置が、複数のディスプレイのうち代表となる１つのＥＤＩＤを読み込み、当該ＥＤＩＤを全てのＰＣに読み込ませる方式が一般的であった。従って、同一の切替装置に接続された複数のＰＣは、全て同じＥＤＩＤを読み込むように設定されていた。
【先行技術文献】
【特許文献】
【０００４】
【特許文献１】２０１１−０２８６５２号公報
【発明の概要】
【発明が解決しようとする課題】
【０００５】
従来の方式では、同一の切替装置に接続された複数のＰＣが、全て同じＥＤＩＤを読み込むように設定されていたため、ＥＤＩＤの異なる複数のディスプレイを同一の切替装置に接続し、切り替えて使用することが難しかった。上記の場合、個々のＰＣとディスプレイとを直接接続することにより、任意のＰＣに任意のディスプレイのＥＤＩＤを読み込ませることは可能であった。しかし、ＰＣにＥＤＩＤを記憶させた後で、ＰＣ及びディスプレイを再び切替装置に接続し直す操作が必要であり、ＰＣ及びディスプレイの台数が多い場合には、上記一連の操作を逐一行うことが煩雑であった。
【０００６】
本発明は、上記課題に鑑みなされたものであり、識別情報（例えば、ＥＤＩＤ）の異なる複数の表示装置を切り替えて使用するための切替装置において、ＰＣによる識別情報の読み込みを簡易化することを目的とする。
【課題を解決するための手段】
【０００７】
本発明は、複数の情報処理装置を接続可能な第１接続部と、前記複数の情報処理装置から入力された情報を表示する複数のディスプレイが接続可能な第２接続部と、前記第２接続部に接続された前記複数のディスプレイのそれぞれから、ディスプレイの識別情報を読み取る読取部と、前記第１接続部に接続可能な前記複数の情報処理装置のそれぞれに対応して設けられ、前記読取部により読み込まれた前記複数のディスプレイの識別情報のうち１つの識別情報を記憶すると共に、対応する前記情報処理装置から当該記憶された識別情報の読み出しが行われる複数の記憶部と、前記複数のディスプレイと前記読取部との間に設けられた第１スイッチと、前記複数の記憶部と前記読取部との間に設けられた第２スイッチと、前記複数のディスプレイの各々に対する、ディスプレイの識別情報の読み込み要求があるか否かを判定し、前記読み込み要求があると判定した場合に、前記読取部が前記読み込み要求があると判定されたディスプレイと接続するように前記第１スイッチを制御し、前記複数の記憶部の各々に対する、前記読取部に読み取らせたディスプレイの識別情報の保存要求があるか否かを判定し、前記保存要求があると判定した場合に、前記読取部が前記保存要求があると判定された記憶部と接続するように前記第２スイッチを制御する制御部と、を備え、前記複数の記憶部は、互いに異なる識別情報を記憶可能であることを特徴とする切替装置である。
【０００８】
上記構成において、前記読取部に対し、前記複数のディスプレイのうち識別情報を取得すべきディスプレイを指示すると共に、前記複数の記憶部のそれぞれに対し、前記読取部が取得した前記識別情報を記憶するか否かを指示する制御部を備える構成とすることができる。
【０００９】
前記第１接続部に接続された前記複数の情報処理装置のそれぞれが、前記第２接続部に接続された前記複数のディスプレイのうちいずれか１つと接続されるように切り替えを行う切替部を備え、前記切替部は、前記複数の情報処理装置のうち第１識別情報を読み込んだ情報処理装置が、前記複数のディスプレイのうち前記第１識別情報を有するディスプレイと接続されるように切り替えを行う構成とすることができる。
【００１０】
前記制御部から、前記複数の記憶部のうち既にディスプレイの識別情報が記憶されている記憶部に対し、新たに別の識別情報を記憶する指示がされた場合に、ユーザに対し警告を行う警告部を備える構成とすることができる。
【００１１】
前記制御部は、前記複数の記憶部のうち既にディスプレイの識別情報が記憶されている記憶部に対し、新たに別の識別情報を記憶する指示がされた場合に、当該記憶部に対し前記別の識別情報を上書きして記憶させる構成とすることができる。
【００１２】
前記制御部は、前記複数の記憶部のうち既にディスプレイの識別情報が記憶されている記憶部に対し、新たに別の識別情報を記憶する指示がされた場合に、当該記憶部に対し前記別の識別情報を記憶させない構成とすることができる。
【００１３】
前記制御部は、前記複数の記憶部のうち既にディスプレイの識別情報が記憶されている記憶部に対し、新たに別の識別情報を記憶する指示がされた場合に、当該記憶部を含む全ての記憶部に対する識別情報の記憶処理を中止する構成とすることができる。
【発明の効果】
【００１５】
本発明によれば、識別情報（例えば、ＥＤＩＤ）の異なる複数の表示装置を切り替えて使用するための切替装置において、ＰＣによる識別情報の読み込みを簡易化することができる。
【図面の簡単な説明】
【００１６】
【図１】実施例１に係る情報システムの全体ブロック図である。
【図２】ＥＤＩＤ読み込みの設定画面を示す図である。
【図３】実施例１におけるＥＤＩＤ読み込みのフロー図である。
【図４】実施例２におけるＥＤＩＤ読み込みのフロー図である。
【図５】第１の変形例に係るＥＤＩＤ読み込みのフロー図である。
【図６】第２の変形例に係るＥＤＩＤ読み込みのフロー図である。
【発明を実施するための形態】
【実施例１】
【００１７】
図１は、実施例１に係る切替装置を含む情報システム全体のブロック図である。複数の操作ユニット１０１〜１０ｎ及び複数のＰＣ２０１〜２０ｍが、それぞれ切替装置３０に接続されている。一台の切替装置３０に接続される操作ユニットの数（ｎ）及びＰＣの数（ｍ）は、それぞれ任意の値とすることができる。
【００１８】
操作ユニット１０１〜１０ｎは、それぞれ表示装置の一例であるディスプレイ１１１〜１１ｎ、入力装置の一例であるキーボード１２１〜１２ｎ及びマウス１３１〜１３ｎを含む。ディスプレイ１１１〜１１ｎは、ＰＣ２０１〜２０ｍのいずれかから送信される情報（映像）を表示するための装置であり、キーボード１２１〜１２ｎ及びマウス１３１〜１３ｎは、ＰＣ２０１〜２０ｍのいずれかに情報を入力し、操作するための装置である。ディスプレイ１１１〜１１ｎ、キーボード１２１〜１２ｎ、及びマウス１３１〜１３ｎは、それぞれ切替装置３０の対応するインターフェース部（３１１〜３１ｎ、３２１〜３２ｎ、３３１〜３３ｎ）に接続されている。
【００１９】
表示装置及び入力装置としては、上記で挙げた以外にも様々な形態のものを用いることができる。例えば、表示装置及び入力装置として、両者の機能を兼ね備えたタッチパネル式ディスプレイを用いてもよい。また、ＰＣ２０１〜２０ｍからの情報を出力する装置として、表示装置の他に音声出力装置（不図示）を備える構成としてもよい。
【００２０】
ＰＣ２０１〜２０ｍは、情報処理装置の一例であり、それぞれ処理部２１１〜２１ｍ及び記憶部２２１〜２２ｍを含む。処理部２１１〜２１ｍは、操作ユニット１０１〜１０ｎとの間で送受信される情報を始めとする様々な情報を処理する機能を有し、例えばＣＰＵ（Central Processing Unit）、メモリ等から構成される。記憶部２２１〜２２ｍは、各種プログラムを始めとする様々な情報を記憶する機能を有し、例えばＨＤＤ（Hard Disk Drive）、フラッシュメモリ等から構成される。記憶部２２１〜２２ｍは処理部２１１〜２１ｍに接続され、処理部２１１〜２１ｍから記憶部２２１〜２２ｍへのデータの書き込み、及び記憶部２２１〜２２ｍから処理部２１１〜２１ｍへのデータの読み出しが行われる。ＰＣ２０１〜２０ｍのそれぞれは、切替装置３０のインターフェース部３４１〜３４ｍに接続されている。
【００２１】
ユーザは、切替装置３０を用いることにより、複数の操作ユニット１０１〜１０ｎ及び複数のＰＣ２０１〜２０ｍを切り替えて使用することが可能である。例えば、操作ユニット１０１を使用する第１のユーザが、ＰＣ２０１を選択した場合、第１のユーザによるキーボード１２１及びマウス１３１への入力情報はＰＣ２０１へ入力され、ＰＣ２０１からの出力情報（映像）がディスプレイ１１１へと出力される。このとき、第１のユーザと別の第２のユーザは、例えば操作ユニット１０２を使用し、第１のユーザが使用中であるＰＣ２０１を除くＰＣ２０２〜２０ｍを切り替えて使用することが可能である。このように、複数の操作ユニット１０１〜１０ｎにより、複数のユーザが同時に、複数のＰＣ２０１〜２０ｍを切り替えながら使用することが可能となっている。
【００２２】
切替装置３０は、切替部４０、制御部５０、読取部６０、記憶部７０（７０１〜７０ｍ）、及び既出のインターフェース部（３１１〜３１ｎ、３２１〜３２ｎ、３３１〜３３ｎ、３４１〜３４ｍ）を含む。切替部４０は、映像信号処理部４２及び制御信号処理部４４を含み、上述したＰＣ及び操作ユニットの切り替え操作を行う機能を有する。読取部６０は、操作ユニット１０１〜１０ｎのディスプレイ１１１〜１１ｎからＥＤＩＤの読み込みを行う機能を有する。記憶部７０１〜７０ｍは、ＰＣ２０１〜２０ｍに対応した数（ｍ）だけ設けられ、読取部６０により読み込まれたＥＤＩＤを記憶する機能を有する。制御部５０は、切替部４０、読取部６０、及び記憶部７０の制御を行う機能を有する。切替装置３０が備えるインターフェースのうち、インターフェース部３４１〜３４ｍは、情報処理装置（ＰＣ）を接続可能な第１接続部の一例であり、インターフェース部３１１〜３１ｎは、表示装置（ディスプレイ）を接続可能な第２接続部の一例である。
【００２３】
映像信号処理部４２は、インターフェース部３４１〜３４ｍを介してＰＣ２０１〜２０ｍから入力された映像信号を処理し、ＰＣが対応している操作ユニットのディスプレイ１１１〜１１ｎに対し、当該映像信号をインターフェース部３１１〜３１ｎを介して出力する。制御信号処理部４４は、上記の映像信号を除く様々な信号を処理し、操作ユニット１０１〜１０ｎとこれに対応するＰＣ２０１〜２０ｍとの間で、信号の送受信が行われるようにする。制御信号処理部４４に入力される信号には、例えばキーボード１２１〜１２ｎ及びマウス１３１〜１３ｎから入力されるＰＣ操作のための信号が含まれる。また、操作ユニットが音声出力装置を備える場合には、ＰＣからの音声信号も制御信号処理部を介して操作ユニットに送信される構成とすることができる。
【００２４】
切替部４０（映像信号処理部４２及び制御信号処理部４４）、制御部５０、及び読取部６０の機能は、それぞれ例えばＣＰＵ、メモリ等のハードウェアを用い、所定のプログラムを実行させることにより実現することができる。記憶部７０は、例えばＲＡＭ（Random Access Memory）のような揮発性の記憶装置により実現することもできるが、フラッシュメモリ等の不揮発性の記憶装置により実現することもできる。
【００２５】
ここで、ディスプレイ１１１〜１１ｎに映像信号を適切に表示させるためには、ＰＣ２０１〜２０ｍに対応するディスプレイのＥＤＩＤを読み込ませ、当該ＥＤＩＤに応じた形式の映像信号を出力することができるようにすることが望ましい。以下、この点について詳細に説明する。なお、以下の説明では、ディスプレイ及びＰＣの台数が共に８である場合を例に説明するが、前述のようにＰＣ及びディスプレイの数は任意に設定可能であり、両者の数が異なっていてもよい。
【００２６】
図２は、ＥＤＩＤ読み込みの設定画面を示す図である。最初に、ユーザが、ＥＤＩＤを取得すべきディスプレイの番号（ｎ）と、当該ディスプレイのＥＤＩＤを読みこませるＰＣの番号（ｍ）とを予めそれぞれ設定する。この設定は、例えばＯＳＤ（On Screen Display）画面により行うことができる。図２（ａ）では、ＥＤＩＤを取得すべきディスプレイとしてｎ＝２が、当該ディスプレイのＥＤＩＤを読み込ませるＰＣとしてｍ＝２、３、４が、それぞれ指定されている。図２（ｂ）では、ＥＤＩＤを取得すべきディスプレイとしてｎ＝７が、当該ディスプレイのＥＤＩＤを読み込ませるＰＣとしてｍ＝１、５、８が、それぞれ指定されている。
【００２７】
図３は、ＥＤＩＤ読み込みのフローを示す図である。最初に、制御部５０が、ディスプレイに関するカウンタ（Ｎ）の値を１に設定する（ステップＳ１０）。次に、制御部５０は、ディスプレイ番号がＮであるディスプレイ１１Ｎに対する、ＥＤＩＤの読み込み要求があるか否かを判定する（ステップＳ１２）。例えば、図２（ａ）のケースではＮ＝２の、図２（ｂ）のケースではＮ＝７のディスプレイ１１Ｎについて、それぞれ読み込み要求があると判定される。
【００２８】
ステップＳ１２にて読み込み要求があった場合、制御部５０は、読取部６０に対し指示することにより、カウントＮの番号に対応するディスプレイから、ＥＤＩＤの読み込みを行わせる（ステップＳ１４）。ここで、図１に示すように、読取部６０にはスイッチ部６２及び６４が設けられている。ＥＤＩＤの読み込みの際には、制御部５０がスイッチ６２を切り替えることにより、ＥＤＩＤが読み込まれるディスプレイが接続されたインターフェース部３１１〜３１ｎのいずれかが、読取部６０と接続される。
【００２９】
次に、制御部５０が、記憶部７０に関するカウンタ（Ｍ）の値を１に設定する（ステップＳ１６）。次に、制御部５０は、番号がＭである記憶部７０Ｍに対する、ＥＤＩＤの保存要求があるか否かを判定する（ステップＳ１８）。例えば、図２（ａ）のケースではＭ＝２，３，４の、図２（ｂ）のケースではＭ＝１，５，７の記憶部７０Ｍについて、それぞれ保存要求があると判定される。
【００３０】
ステップＳ１８にて保存要求があった場合、制御部５０は、読取部６０及び記憶部７０Ｍに対し指示することにより、カウンタＭの番号に対応する記憶部７０Ｍに対し、ＥＤＩＤの保存を行わせる（ステップＳ２０）。ＥＤＩＤの保存の際には、制御部５０が図１に示すスイッチ６４を切り替えることにより、記憶部７０１〜７０ｍのいずれか１つが読取部６０と接続される。ステップＳ２０にて保存が完了した場合、またはステップＳ１８にて保存要求がなかった場合、制御部５０はカウンタＭの値を１つ増加させる（ステップＳ２２）。
【００３１】
次に、制御部５０は、現在のカウンタＭの値が最大値（この場合は、ＰＣの台数と等しい８）であるか否かを判定する（ステップＳ２４）。カウンタＭが最大値未満の場合には、ステップＳ１８の前段へ戻り、ステップＳ１８〜Ｓ２２におけるＥＤＩＤの記憶処理を繰り返す。これにより、記憶部７０１〜７０ｍのうち、予めユーザにより指定された記憶部にのみ、ＥＤＩＤの保存が行われる。ステップＳ２４において、カウンタＭが最大値（ｍ＝８）と等しい場合には、上記の記憶処理を終了し、次のステップへと移行する。
【００３２】
ステップＳ２４にてカウンタＭの値が最大値であった場合、またはステップＳ１２にてＥＤＩＤの読み込み要求がなかった場合、制御部５０はディスプレイに関するカウンタＮの値を１つ増加させる（ステップＳ２６）。
【００３３】
次に、制御部５０は、現在のカウンタＮの値が最大値（この場合は、ディスプレイの台数と等しい８）であるか否かを判定する（ステップＳ２８）。カウンタＮが最大値未満の場合には、ステップＳ１２の前段へ戻り、ステップＳ１２〜Ｓ２６におけるＥＤＩＤの読み込み処理及び記憶処理を繰り返す。これにより、ディスプレイ１１１〜１１ｎのうち、予めユーザにより指定されたディスプレイのみから、ＥＤＩＤが読み出されると共に、記憶部７０１〜７０ｍのうち、予めユーザにより指定された記憶部にのみ、読み出されたＥＤＩＤの保存が行われる。ステップＳ２８において、カウンタＮが最大値（ｎ＝８）と等しい場合には、全体の読み込み処理及び記憶処理を終了する。
【００３４】
以上のステップにより、ＰＣ２０１〜２０ｍに対応して１つずつ設けられた記憶部７０１〜７０ｍのそれぞれに、ユーザが指定したディスプレイのＥＤＩＤが記憶される。記憶部７０１〜７０ｍに記憶されたＥＤＩＤは、対応するＰＣ２０１〜２０ｍの起動時にＰＣ側に読み込まれる。これにより、ＰＣ２０１〜２０ｍは、対応するディスプレイのＥＤＩＤを認識することができる。
【００３５】
実施例１に係る切替装置は、ＰＣ２０１〜２０ｍからＥＤＩＤの読み出しが行われる複数の記憶部７０１〜７０ｍを備え、更に複数の記憶部７０１〜７０ｍが互いに異なるＥＤＩＤを記憶可能となっている。記憶部７０１〜７０ｍのそれぞれに、ＰＣ２０１〜２０ｍに対応するディスプレイ１１１〜１１ｎのＥＤＩＤを記憶させることにより、ＰＣ側において対応するディスプレイのＥＤＩＤを読み込むことができるため、画面表示を適切に行うことができる。このように、実施例１の構成によれば、ＥＤＩＤの異なる複数のディスプレイ１１１〜１１ｎを切り替えて使用するための切替装置３０において、ＰＣによるＥＤＩＤの読み込みを簡易化することができる。
【００３６】
また、実施例１に係る切替装置の制御部５０は、読取部６０に対し、複数のディスプレイ１１１〜１１ｎのうちＥＤＩＤを取得すべきディスプレイを指示すると共に、複数の記憶部７０１〜７０ｍのそれぞれに対し、読取部６０が取得したＥＤＩＤを記憶するか否かを指示する。これにより、記憶部７０１〜７０ｍのそれぞれに、ＰＣ２０１〜２０ｍに対応するディスプレイ１１１〜１１ｎのＥＤＩＤを記憶させることができる。
【００３７】
また、実施例１に係る切替装置の切替部４０は、複数のＰＣ２０１〜２０ｍのうち所定のＥＤＩＤ（第１識別情報）を読み込んだＰＣが、複数のディスプレイ１１１〜１１ｎのうち当該ＥＤＩＤ（第１識別情報）を有するディスプレイと接続されるように切り替えを行う。これにより、画面表示を適切に行うことができる。
【実施例２】
【００３８】
実施例２は、既にＥＤＩＤが記憶されている記憶部に、新たなＥＤＩＤを読み込む場合の例である。情報システム全体及び切替装置の構成は、実施例１（図１）と共通であるため説明を省略する。
【００３９】
図４は、実施例２に係るＥＤＩＤの読み込み処理を示すフローチャートである。実施例２における読み込み処理のうち、図４に示していない部分は実施例１と共通（図３のステップＳ１０〜Ｓ１８及びステップＳ２２〜Ｓ２８に相当）であり、詳細な説明を省略する。最初に、ステップＳ１８にて保存要求があった場合、制御部５０は、保存先の記憶部７０Ｍを参照し、既に保存データ（ＥＤＩＤ）が存在するか否かを判定する（ステップＳ４０）。保存データがない場合、実施例１と同様に、ＥＤＩＤを記憶部７０Ｍに記憶させ（ステップＳ２０）、ステップ２２以降の処理を継続する。
【００４０】
ステップＳ４０において既に保存データがあった場合、制御部５０は、ユーザに対する警告処理を実行する（ステップＳ４２）。警告処理は、例えばＯＳＤ画面上に、既にデータが保存されている旨の警告メッセージを表示させる方法で行ってもよいし、それ以外の方法（例えば、音声による警告）で行ってもよい。次に、制御部５０は、新たに読み込まれたＥＤＩＤを、保存先の記憶部７０Ｍに上書き保存し（ステップＳ４４）、ステップ２２以降の処理を継続する。
【００４１】
以上のように、実施例２に係る切替装置では、既に記憶部にＥＤＩＤが保存されている場合に、警告処理を行うことでユーザに注意を促しつつ、上書き保存によりＥＤＩＤの読込処理を続行させることができる。
【００４２】
実施例２では、以下に説明する変形例のように、既に保存データがある場合に上書き保存以外の処理を行うこともできる。以下、図４との相違点を中心に説明する。
【００４３】
図５は、第１の変形例に係る処理を示すフローチャートである。ステップＳ４０において既に保存データがあった場合、制御部５０は、ユーザに対する警告処理を実行するが（ステップＳ４２）、その後の上書き処理は行わない。これにより、警告処理を行うことでユーザに注意を促しつつ、既に保存されているＥＤＩＤを消去せずに残すことができる。
【００４４】
図６は、第２の変形例に係る処理を示すフローチャートである。ステップＳ４０において既に保存データがあった場合、制御部５０は、ユーザに対する警告処理を実行し（ステップＳ４２）、さらにＥＤＩＤの読込・記憶処理の全体を停止する（ステップＳ５０）。これにより、ユーザに対し、問題解決のための適切な処置（例えば、記憶部７０１〜７０ｍ内のデータの消去等）を促すことができる。
【００４５】
上述のように、既に記憶部にＥＤＩＤが保存されている場合に、制御部５０が行うべき処理を予め定めておくことで、状況に応じた対応を行うことが可能となる。なお、図４及び図６の処理を採用する場合には、警告処理（ステップＳ４０）を省略する構成としてもよい。
【００４６】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００４７】
１０          操作ユニット
１１          ディスプレイ
１２          キーボード
１３          マウス
２０          ＰＣ
２１          処理部
２２          記憶部
３０          切替装置
３１〜３４    インターフェース
４０          切替部
４２          映像信号処理部
４４          制御信号処理部
５０          制御部
６０          読取部
６２、６４    スイッチ部
７０          記憶部
【図１】
0005912614.tif 000002
【図２】
0005912614.tif 000003
【図３】
0005912614.tif 000004
【図４】
0005912614.tif 000005
【図５】
0005912614.tif 000006
【図６】
0005912614.tif 000007